【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
Ｗｅｂブラウザが搭載されたクライアントと、Ｗｅｂ上のサーバーと、がネットワークを介して接続されたネットワークシステムであって、
前記クライアントは、
前記サーバーに対し、データを取得するためのＨＴＴＰリクエストを行うリクエスト部と、
前記サーバーから、前記ＨＴＴＰリクエストに対して提供されたＨＴＭＬデータを取得するデータ取得部と、
取得した前記ＨＴＭＬデータに基づいて処理を行う処理実行部と、を備え、
前記サーバーは、
前記クライアントから、前記ＨＴＴＰリクエストを取得するリクエスト取得部と、
前記クライアントに対し、前記ＨＴＭＬデータを送信するデータ送信部と、
前記クライアントのステータスを管理するステータス管理部と、を備え、
前記リクエスト部は、前記ＨＴＴＰリクエストのＵＲＬに、前記クライアントのステータス情報を埋め込むことを特徴とするネットワークシステム。
【請求項２】
前記データ送信部は、前記ＨＴＭＬデータに、前記ステータスの確認を促すステータス確認メッセージを埋め込み、
前記リクエスト部は、前記ステータス確認メッセージに従って、前記ＨＴＴＰリクエストのＵＲＬに、前記クライアントのステータス情報を埋め込むことを特徴とする請求項１に記載のネットワークシステム。
【請求項３】
前記データ送信部は、前記リクエスト取得部が取得した前記ＨＴＴＰリクエストに、前記クライアントの異常を示すステータスが含まれていた場合、前記ＨＴＭＬデータに前記ステータス確認メッセージを埋め込むことを特徴とする請求項２に記載のネットワークシステム。
【請求項４】
前記ステータス確認メッセージは、前記クライアントの異常を解析するための異常解析プログラムを含むことを特徴とする請求項３に記載のネットワークシステム。
【請求項５】
前記データ送信部は、前記ステータス確認メッセージの前回送信時刻から所定時間が経過した場合、前記ＨＴＭＬデータに前記ステータス確認メッセージを埋め込むことを特徴とする請求項２ないし４のいずれか１項に記載のネットワークシステム。
【請求項６】
前記クライアントは、プリンターであり、
前記処理実行部は、取得した前記ＨＴＭＬデータに基づいて印刷処理を行う印刷部であることを特徴とする請求項１ないし５のいずれか１項に記載のネットワークシステム。
【請求項７】
前記プリンターは、
印刷フォーマットを記憶する印刷フォーマット記憶部をさらに備え、
前記印刷部は、前記ＨＴＭＬデータによって指定された印刷フォーマットを前記フォーマット記憶部から読み出して印刷することを特徴とする請求項６に記載のネットワークシステム。
【請求項８】
ネットワークを介してＷｅｂ上のサーバーに接続され、Ｗｅｂブラウザが搭載されたクライアントであって、
前記クライアントは、
前記サーバーに対し、データを取得するためのＨＴＴＰリクエストを行うリクエスト部と、
前記サーバーから、前記ＨＴＴＰリクエストに対して提供されたＨＴＭＬデータを取得するデータ取得部と、
取得した前記ＨＴＭＬデータに基づいて処理を行う処理実行部と、を備え、
前記リクエスト部は、前記ＨＴＴＰリクエストのＵＲＬに、前記クライアントのステータス情報を埋め込むことを特徴とするクライアント。
【請求項９】
前記リクエスト部は、
前記サーバーのデータ送信部が前記ＨＴＭＬデータに埋め込んだ、前記クライアントのステータスの確認を促すステータス確認メッセージに従って、前記ＨＴＴＰリクエストのＵＲＬに、前記クライアントのステータス情報を埋め込むことを特徴とする請求項８に記載のクライアント。
【請求項１０】
前記ステータス確認メッセージは、前記クライアントの異常を解析するための異常解析プログラムを含むことを特徴とする請求項９に記載のクライアント。
【請求項１１】
前記クライアントは、プリンターであり、
前記処理実行部は、取得した前記ＨＴＭＬデータに基づいて印刷処理を行う印刷部であることを特徴とする請求項８ないし１０のいずれか１項に記載のクライアント。
【請求項１２】
前記プリンターは、
印刷フォーマットを記憶する印刷フォーマット記憶部をさらに備え、
前記印刷部は、前記ＨＴＭＬデータによって指定された印刷フォーマットを前記フォーマット記憶部から読み出して印刷することを特徴とする請求項１１に記載のクライアント。
【請求項１３】
ネットワークを介してＷｅｂ上のサーバーに接続され、Ｗｅｂブラウザが搭載されたクライアントの制御方法であって、
前記サーバーに対し、データを取得するためのＨＴＴＰリクエストを行うステップと、
前記サーバーから、前記ＨＴＴＰリクエストに対して提供されたＨＴＭＬデータを取得するステップと、
取得した前記ＨＴＭＬデータに基づいて処理を行うステップと、
前記ＨＴＴＰリクエストのＵＲＬに、前記クライアントのステータス情報を埋め込むステップと、
を含むことを特徴とするクライアントの制御方法。
【請求項１４】
前記ＨＴＭＬデータに埋め込まれた、前記クライアントのステータスの確認を促すステータス確認メッセージに従って、前記ＨＴＴＰリクエストのＵＲＬに、前記クライアントのステータス情報を埋め込むステップを含むことを特徴とする請求項１３に記載のクライアントの制御方法。
【請求項１５】
前記ステータス確認メッセージは、前記クライアントの異常を解析するための異常解析プログラムを含むことを特徴とする請求項１４に記載のクライアントの制御方法。
【請求項１６】
前記クライアントは、プリンターであり、
取得した前記ＨＴＭＬデータに基づいて印刷処理を行うステップを含むことを特徴とする請求項１３ないし１５のいずれか１項に記載のクライアントの制御方法。
【請求項１７】
印刷フォーマットを記憶するステップと、
前記ＨＴＭＬデータによって指定された印刷フォーマットを読み出して印刷するステップと、
を含むことを特徴とする請求項１６に記載のクライアントの制御方法。
【請求項１８】
コンピューターに、請求項１３ないし１７のいずれか１項に記載のクライアントの制御方法における各ステップを実行させるためのプログラム。
【手続補正２】
【補正対象書類名】明細書
【補正対象項目名】発明の名称
【補正方法】変更
【補正の内容】
【発明の名称】ネットワークシステム、クライアント、クライアントの制御方法およびプログラム
【手続補正３】
【補正対象書類名】明細書
【補正対象項目名】０００１
【補正方法】変更
【補正の内容】
【０００１】
Ｗｅｂブラウザが搭載されたクライアントと、Ｗｅｂ上のサーバーと、がネットワークを介して接続されたネットワークシステム、クライアント、クライアントの制御方法およびプログラムに関するものである。
【手続補正４】
【補正対象書類名】明細書
【補正対象項目名】０００６
【補正方法】変更
【補正の内容】
【０００６】
本発明は、上記の問題点に鑑み、Ｗｅｂサーバーによるクライアントのステータス管理を低コストで実現可能なネットワークシステム、クライアント、クライアントの制御方法およびプログラムを提供することを目的とする。
【手続補正５】
【補正対象書類名】明細書
【補正対象項目名】０００８
【補正方法】変更
【補正の内容】
【０００８】
本発明のクライアントは、ネットワークを介してＷｅｂ上のサーバーに接続され、Ｗｅｂブラウザが搭載されたクライアントであって、クライアントは、サーバーに対し、データを取得するＨＴＴＰリクエストを行うリクエスト部と、サーバーから、ＨＴＴＰリクエストに対して提供されたＨＴＭＬデータを取得するデータ取得部と、取得したＨＴＭＬデータに基づいて処理を行う処理実行部と、を備え、リクエスト部は、ＨＴＴＰリクエストのＵＲＬに、クライアントのステータス情報を埋め込むことを特徴とする。
【手続補正６】
【補正対象書類名】明細書
【補正対象項目名】００２２
【補正方法】変更
【補正の内容】
【００２２】
本発明のプログラムは、コンピューターに、上記に記載のクライアントの制御方法における各ステップを実行させることを特徴とする。
【手続補正７】
【補正対象書類名】明細書
【補正対象項目名】００２３
【補正方法】変更
【補正の内容】
【００２３】
このプログラムを実行することにより、Ｗｅｂサーバーによるクライアントのステータス管理を低コストで実現可能なクライアントの制御方法を実現できる。
【手続補正８】
【補正対象書類名】明細書
【補正対象項目名】００２５
【補正方法】変更
【補正の内容】
【００２５】
以下、本発明の一実施形態に係るネットワークシステム、クライアント、クライアントの制御方法およびプログラムについて、添付図面を参照しながら詳細に説明する。本実施形態では、コンビニエンス・ストア等に設置される印刷機能付きキオスク端末を想定し、当該キオスク端末であるプリンターと、Ｗｅｂ上のサーバーと、がインターネット接続されたネットワークシステムを例示する。